【手続補正書】
【提出日】平成17年8月2日(2005.8.2)
【手続補正１】
【補正対象書類名】明細書
【補正対象項目名】発明の名称
【補正方法】変更
【補正の内容】
【発明の名称】変調装置および方法、復調装置および方法、並びに記録媒体
【手続補正２】
【補正対象書類名】明細書
【補正対象項目名】特許請求の範囲
【補正方法】変更
【補正の内容】
【特許請求の範囲】
【請求項１】
基本データ長がｍビットのデータを、変換テーブルに基づいて、基本符号長がｎビットの可変長符号（ｄ，ｋ；ｍ，ｎ；ｒ）に変換して出力する変調手段を備える変調装置において、
前記変調手段の変換テーブルは、
データ列の要素内の「１」の個数を２で割った時の余りと、変換される符号語列の要素内の「１」の個数を２で割った時の余りが、どちらも１あるいは０で一致するような変換規則と、
最小ランｄの連続を所定の回数以下に制限する第１の置き換えコードと、
ラン長制限を守るための第２の置き換えコードと、
前記第１の置き換えコードと前記第２の置き換えコードとは異なる基礎コードとを有し、
前記第１の置き換えコード、または前記第２の置き換えコードは、置き換え制限が加えられている
ことを特徴とする変調装置。
【請求項２】
前記第１の置き換えコード、または前記第２の置き換えコードに加えられる置き換え制限は、直前または直後の符号語列の少なくとも一方が参照されて行われる
ことを特徴とする請求項１に記載の変調装置。
【請求項３】
前記第１の置き換えコード、または前記第２の置き換えコードに加えられる置き換え制限は、直前の符号語列または直後のデータ列の少なくとも一方が参照されて行われる
ことを特徴とする請求項１に記載の変調装置。
【請求項４】
前記入力されたデータの変調符号より得られた符号語列の同期信号を任意の位置に挿入する挿入手段を
さらに備えることを特徴とする請求項１に記載の変調装置。
【請求項５】
前記挿入手段は、前記第１の置き換えコードを検出する第１の検出手段と、
前記第２の置き換えコードを検出する第２の検出手段と
をさらに備えることを特徴とする請求項４に記載の変調装置。
【請求項６】
基本データ長がｍビットのデータを、基本符号長がｎビットの可変長符号（ｄ，ｋ；ｍ，ｎ；ｒ）に変換する変調装置の変調方法において、
入力されたデータを、変換テーブルに従って、符号に変換する変換ステップを含み、
前記変換テーブルの変換コードは、
データ列の要素内の「１」の個数を２で割った時の余りと、変換される符号語列の要素内の「１」の個数を２で割った時の余りが、どちらも１あるいは０で一致するような変換規則と、
最小ランｄの連続を所定の回数以下に制限する第１の置き換えコードと、
ラン長制限を守るための第２の置き換えコードと、
前記第１の置き換えコードと前記第２の置き換えコードとは異なる基礎コードとを有し、
前記第１の置き換えコード、または前記第２の置き換えコードは、置き換え制限が加えられている
ことを特徴とする変調方法。
【請求項７】
基本データ長がｍビットのデータを、変換テーブルに基づいて、基本符号長がｎビットの可変長符号（ｄ，ｋ；ｍ，ｎ；ｒ）に変換する変調方式により作成されたデータ列であって、
前記変調方式の変換テーブルは、
データ列の要素内の「１」の個数を２で割った時の余りと、変換される符号語列の要素内の「１」の個数を２で割った時の余りが、どちらも１あるいは０で一致するような変換規則と、
最小ランｄの連続を所定の回数以下に制限する第１の置き換えコードと、
ラン長制限を守るための第２の置き換えコードと、
前記第１の置き換えコードと前記第２の置き換えコードとは異なる基礎コードとを有し、
前記第１の置き換えコード、または前記第２の置き換えコードは、置き換え制限が加えられている
ことを特徴とするデータ構造を有するデータ列を記録した記録媒体。
【請求項８】
前記第１の置き換えコード、または前記第２の置き換えコードに加えられる置き換え制限は、直前または直後の符号語列の少なくとも一方が参照されて行われる
ことを特徴とする請求項７に記載の記録媒体。
【請求項９】
前記第１の置き換えコード、または前記第２の置き換えコードに加えられる置き換え制限は、直前の符号語列または直後のデータ列の少なくとも一方が参照されて行われる
ことを特徴とする請求項７に記載の記録媒体。
【請求項１０】
前記入力されたデータの変調符号より得られた符号語列の同期信号を任意の位置に挿入する挿入手段を
さらに備えることを特徴とする請求項７に記載の記録媒体。
【請求項１１】
前記挿入手段は、前記第１の置き換えコードを検出する第１の検出手段と、
前記第２の置き換えコードを検出する第２の検出手段と
をさらに備えることを特徴とする請求項１０に記載の記録媒体。
【請求項１２】
基本符号長がｎビットの可変長符号（ｄ，ｋ；ｍ，ｎ；ｒ）を、基本データ長がｍビットのデータに変換する復調装置において、
入力された符号を、変換テーブルに従って、データに変換する変換手段を備え、
前記変換テーブルの変換コードは、
データ列の要素内の「１」の個数を２で割った時の余りと、変換される符号語列の要素内の「１」の個数を２で割った時の余りが、どちらも１あるいは０で一致するような変換規則と、
最小ランｄの連続を所定の回数以下に制限する第１の置き換えコードと、
ラン長制限を守るための第２の置き換えコードと、
前記第１の置き換えコードと前記第２の置き換えコードとは異なる基礎コードとを有し、
前記第１の置き換えコード、または前記第２の置き換えコードは、置き換え制限が加えられている
ことを特徴とする復調装置。
【請求項１３】
基本符号長がｎビットの可変長符号（ｄ，ｋ；ｍ，ｎ；ｒ）を、基本データ長がｍビットのデータに変換する復調装置の復調方法において、
入力された符号を、変換テーブルに従って、データに変換する変換ステップを含み、
前記変換テーブルの変換コードは、
データ列の要素内の「１」の個数を２で割った時の余りと、変換される符号語列の要素内の「１」の個数を２で割った時の余りが、どちらも１あるいは０で一致するような変換規則と、
最小ランｄの連続を所定の回数以下に制限する第１の置き換えコードと、
ラン長制限を守るための第２の置き換えコードと、
前記第１の置き換えコードと前記第２の置き換えコードとは異なる基礎コードとを有し、
前記第１の置き換えコード、または前記第２の置き換えコードは、置き換え制限が加えられている
ことを特徴とする復調方法。
【手続補正３】
【補正対象書類名】明細書
【補正対象項目名】０００１
【補正方法】変更
【補正の内容】
【０００１】
【発明の属する技術分野】
本発明は変調装置および方法、復調装置および方法、並びに記録媒体に関し、特に、記録媒体にデータを高密度に記録する、あるいは高密度にデーがが記録された記録媒体から再生する場合に用いて好適な変調装置および方法、復調装置および方法、並びに記録媒体に関する。
【手続補正４】
【補正対象書類名】明細書
【補正対象項目名】００３２
【補正方法】変更
【補正の内容】
【００３２】
【課題を解決するための手段】
本発明の変調装置は、基本データ長がｍビットのデータを、変換テーブルに基づいて、基本符号長がｎビットの可変長符号（ｄ，ｋ；ｍ，ｎ；ｒ）に変換して出力する変調手段を備える変調装置であって、変調手段の変換テーブルは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正５】
【補正対象書類名】明細書
【補正対象項目名】００３４
【補正方法】変更
【補正の内容】
【００３４】
本発明の記録媒体は、基本データ長がｍビットのデータを、変換テーブルに基づいて、基本符号長がｎビットの可変長符号（ｄ，ｋ；ｍ，ｎ；ｒ）に変換する変調方式により作成されたデータ列を記録している記録媒体であって、変調方式の変換テーブルは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正６】
【補正対象書類名】明細書
【補正対象項目名】００３５
【補正方法】変更
【補正の内容】
【００３５】
本発明の復調装置は、入力された符号を、変換テーブルに従って、データに変換する変換手段を備え、変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正７】
【補正対象書類名】明細書
【補正対象項目名】００３６
【補正方法】変更
【補正の内容】
【００３６】
本発明の復調方法は、入力された符号を、変換テーブルに従って、データに変換する変換ステップを含み、変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】変更
【補正の内容】
【００３８】
本発明の変調装置および方法においては、入力されたデータが、変換テーブルに従って、符号に変換され、その変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられている。
【手続補正１０】
【補正対象書類名】明細書
【補正対象項目名】００３９
【補正方法】変更
【補正の内容】
【００３９】
本発明の復調装置および方法においては、入力された符号が、変換テーブルに従って、データに変換され、変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられている。
【手続補正１１】
【補正対象書類名】明細書
【補正対象項目名】００４１
【補正方法】変更
【補正の内容】
【００４１】
本発明の変調装置は、基本データ長がｍビットのデータを、変換テーブルに基づいて、基本符号長がｎビットの可変長符号（ｄ，ｋ；ｍ，ｎ；ｒ）に変換して出力する変調手段（例えば、図１の変調部１２）を備える変調装置であって、変調手段の変換テーブルは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正１２】
【補正対象書類名】明細書
【補正対象項目名】００４２
【補正方法】変更
【補正の内容】
【００４２】
本発明の復調装置は、入力された符号を、変換テーブルに従って、データに変換する変換手段（例えば、図６の復調部５３）を備え、変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられていることを特徴とする。
【手続補正１３】
【補正対象書類名】明細書
【補正対象項目名】０１５６
【補正方法】変更
【補正の内容】
【０１５６】
【発明の効果】
以上の如く、本発明の変調装置、変調方法、記録媒体、復調装置、および復調方法によれば、入力されたデータが、変換テーブルに従って、符号に変換され、その変換テーブルの変換コードは、データ列の要素内の「１」の個数を２で割った時の余りと、変換される符号語列の要素内の「１」の個数を２で割った時の余りが、どちらも１あるいは０で一致するような変換規則と、最小ランｄの連続を所定の回数以下に制限する第１の置き換えコードと、ラン長制限を守るための第２の置き換えコードと、第１の置き換えコードと第２の置き換えコードとは異なる基礎コードとを有し、第１の置き換えコード、または第２の置き換えコードは、置き換え制限が加えられているので、高線密度でエラーの少ない符号語列を記録再生することが可能となる。